(57)【特許請求の範囲】
【請求項１】
マシン本体の外側にコネクタを介して着脱自在に配設され、且つ巻線部品を有する周辺ユニットを備える画像形成装置において、前記マシン本体側で巻線部品に並列にサージ吸収素子を接続し、且つ、マシン本体と周辺ユニットとの間に、コネクタが離間する前にオフするインターロックスイッチを配設することを特徴とする画像形成装置。
【請求項２】
マシン本体の外側にコネクタを介して着脱自在に配設され、且つ巻線部品を有する周辺ユニットを備える画像形成装置において、前記マシン本体側で巻線部品に並列にサージ吸収素子を接続し、且つ、巻線部品の接続端子の近傍端子を空き端子、ＧＮＤ端子または電源端子とすることを特徴とする画像形成装置。
【発明の詳細な説明】
【０００１】
【発明の属する技術分野】
本発明は、電子写真法等を用いる複写機、プリンタ、ファクシミリ等の画像形成装置において、とくに、マシン本体の外側にコネクタを介して着脱自在に配設され、且つ巻線部品を有する周辺ユニットを備える画像形成装置に関する。
【０００２】
【従来の技術】
画像形成装置において、マシン本体の外側にコネクタを介して着脱自在に配設される周辺ユニットを備える方式がある。この周辺ユニットとしては、例えば、葉書、ＯＨＰシートなどの特殊用紙をカセットに積層して給紙ローラによりマシン本体に給紙する補助給紙ユニットが知られている。
【０００３】
図３は、従来の補助給紙ユニットを説明するための図である。図３（Ａ）において、マシン本体１の外側には、補助給紙ユニット２が着脱自在に装着されている。マシン本体１側には本体側基板３が備えられ、本体側基板３には、電源端子４、ダイオード５およびトランジスタ６が配置されている。補助給紙ユニット２側には、給紙ローラへ駆動を伝達するための電磁クラッチ７が配置されている。本体側基板３と補助給紙ユニット２はコネクタ９を介して接続され、トランジスタ６に制御信号を送ることにより、電磁クラッチ７をオンオフするように制御している。なお、コネクタ９には多数の接続端子が設けられ、図示しない他の信号ラインに接続されている。
【０００４】
【発明が解決しようとする課題】
ところで、上記補助給紙ユニット２が給紙中にユーザーが誤って補助給紙ユニット２を引き出してしまう場合がある。この場合、図３（Ｂ）に示すように、電磁クラッチ７は通電状態からコネクタ９が外れた瞬間、非通電状態となり電磁クラッチ７のコイルに逆起電力（サージ）が発生し、コネクタ９の隣接端子を介してＧＮＤや他の信号ラインに放電し、マシンの誤動作や素子の破壊などを引き起こすという問題を有している。この問題は、電磁クラッチに限らず、コイルを備えるソレノイド、モータ等の巻線部品においても同様に生じる。
【０００５】
本発明は、上記従来の問題を解決するものであって、マシン本体の外側にコネクタを介して着脱自在に配設され、且つ巻線部品を有する周辺ユニットを備える画像形成装置において、マシン本体と周辺ユニット間で発生するサージによる、マシンの誤動作や素子の破壊を防止することができる画像形成装置を提供することを目的とする。
【０００６】
【課題を解決するための手段】
そのために本発明の請求項１記載の画像形成装置は、マシン本体の外側にコネクタを介して着脱自在に配設され、且つ巻線部品を有する周辺ユニットを備える画像形成装置において、前記マシン本体側で巻線部品に並列にサージ吸収素子を接続し、且つ、マシン本体と周辺ユニットとの間に、コネクタが離間する前にオフするインターロックスイッチを配設することを特徴とし、請求項２記載の発明は、マシン本体の外側にコネクタを介して着脱自在に配設され、且つ巻線部品を有する周辺ユニットを備える画像形成装置において、前記マシン本体側で巻線部品に並列にサージ吸収素子を接続し、且つ、巻線部品の接続端子の近傍端子を空き端子、ＧＮＤ端子または電源端子とすることを特徴とする。
以上
【０００７】
【発明の実施の形態】
以下、本発明の実施の形態を図面を参照しつつ説明する。図１は、本発明の画像形成装置の１実施形態を示す構成図である。
【０００８】
図１において、マシン本体１の外側には、補助給紙ユニット２が着脱自在に装着されている。マシン本体１側には本体側基板３が備えられ、本体側基板３には、電源端子４およびトランジスタ６が配置されている。補助給紙ユニット２側には、給紙ローラへ駆動を伝達するための電磁クラッチ７が配置され、電磁クラッチ７と並列にダイオード（サージ吸収素子）５が接続されている。本体側基板３と補助給紙ユニット２はコネクタ９を介して接続され、トランジスタ６に制御信号を送ることにより、電磁クラッチ７をオンオフするように制御している。なお、コネクタ９には多数の接続端子が設けられ、図示しない他の信号ラインに接続されている。
【０００９】
上記構成からなる本実施形態の作用について説明する。給紙中にユーザーが誤って補助給紙ユニット２を引き出した場合、電磁クラッチ７は通電状態からコネクタ９が外れた瞬間、非通電状態となり電磁クラッチ７のコイルに逆起電力（サージ）が発生するが、このサージは、サージ吸収素子５により吸収されるため、従来のように、コネクタ９の隣接端子を介してマシン本体２側の他の信号ラインに放電することがなく、マシンの誤動作や素子の破壊などを防止することができる。
【００１０】
図２は、本発明の他の実施形態を示し、図２（Ａ）は構成図、図２（Ｂ）は図２（Ａ）のコネクタ部の拡大図、図２（Ｃ）および図２（Ｄ）は作用を説明するための図である。
【００１１】
図２（Ａ）に示すように、本実施形態は、図３で説明した従来の方式と同様に、本体側基板３には、電源端子４、ダイオード５およびトランジスタ６が配置されている。この構成に加えて、本体側基板３側に電源端子４と電磁クラッチ７との間にインターロックスイッチ１０を設けている。
【００１２】
図２（Ｂ）に示すように、本体側基板３側のコネクタ９ａは、スプリング１１を介して固定ピン１２により固定されている。本体側基板３には突起部３ａが形成され、突起部３ａにインターロックスイッチ１０が配設されている。一方、周辺ユニット２側のコネクタ９ｂは固定ネジ１３により固定されるとともに、インターロックスイッチ１０の接片１０ａに対向して押圧突起１４が形成されている。
【００１３】
上記構成からなる本実施形態の作用について説明する。図２（Ｂ）は、本体側基板３と周辺ユニット２がコネクタ９ａ、９ｂにより結合された状態を示し、この状態から、給紙中にユーザーが誤って補助給紙ユニット２を引き出した場合、図２（Ｃ）に示すように、本体側基板３側のコネクタ９ａと周辺ユニット側のコネクタ９ｂは接続状態を維持しながらスプリング１１の付勢により図示矢印方向に移動し、同時に押圧突起１４も移動するため接片１０ａが離れてインターロックスイッチ１０はオフする。さらに補助給紙ユニット２を引き出すと図２（Ｄ）に示すように、コネクタ９ａとコネクタ９ｂが外れることになる。その結果、サージ吸収後にコネクタ９ａ、９ｂが離れるので、コネクタ９の隣接端子を介してマシン本体２側の他の信号ラインに放電することがなく、マシンの誤動作や素子の破壊などを防止することができる。
【００１４】
なお、本実施形態においては、本体側基板３側にサージ吸収素子５を設けているが、図１の実施形態と同様に周辺ユニット側にサージ吸収素子５を設けてもよい。その場合には、サージ吸収素子５が断線してもインターロックスイッチ構造によりサージの発生を防止することができる。
【００１５】
次に、本発明の更なる他の実施形態について説明する。本実施形態においては、図３の構成を採用し、コネクタ９の接続端子の配列を工夫する。すなわち、電磁クラッチ７の接続端子の近傍端子を空き端子、ＧＮＤ端子または電源端子とすることにより、サージが発生しても近傍端子以外の接続端子への影響が無いように構成する。
【００１６】
以上、本発明の実施の形態について説明したが、本発明はこれに限定されるものではなく種々の変更が可能である。例えば、上記実施形態においては、周辺ユニットに電磁クラッチを備えるものについて説明しているが、電磁クラッチに限らず、コイルを備えるソレノイド、モータ等の巻線部品を備える周辺ユニットに適用してもよい。
【００１７】
【発明の効果】
以上の説明から明らかなように、マシン本体の外側にコネクタを介して着脱自在に配設され、且つ巻線部品を有する周辺ユニットを備える画像形成装置において、マシン本体と周辺ユニット間で発生するサージによる、マシンの誤動作や素子の破壊を防止することができる。
【図面の簡単な説明】
【図１】本発明の画像形成装置の１実施形態を示す構成図である。
【図２】本発明の他の実施形態を示し、図２（Ａ）は構成図、図２（Ｂ）は図２（Ａ）のコネクタ部の拡大図、図２（Ｃ）および図２（Ｄ）は作用を説明するための図である。
【図３】従来の周辺ユニットを説明するための図である。
【符号の説明】
１…マシン本体
２…周辺ユニット
５…サージ吸収素子
７…電磁クラッチ（巻線部品）
９…コネクタ
１０…インターロックスイッチ
【図１】
0003775474.tif 000002
【図２】
0003775474.tif 000003
【図３】
0003775474.tif 000004